【事件の表示】
　特願２０００−５８３０１０「記録／再生ヘッド支持機構および記録／再生装置」拒絶査定不服審判事件〔平成１２年　５月２５日国際公開、ＷＯ００／３００８１〕について、次のとおり審決する。
【結　論】
　本件審判の請求は、成り立たない。
【理　由】
第１　手続の経緯 
　本願は、１９９９年１１月１２日（優先権主張１９９８年１１月１３日、１９９９年７月１４日　日本国）を国際出願日とする出願であって、平成１５年１１月１８日付けで通知した拒絶理由に対し、平成１６年１月２６日付けで手続補正がなされたが、同年９月２１日付けで拒絶査定がされ、これに対して同年１１月２５日に拒絶査定不服審判が請求されるとともに同日付けで手続補正がなされたものである。
 　 
　
第２　平成１６年１１月２５日付けの手続補正についての補正却下の決定 
 　 
　［補正却下の決定の結論］ 
　平成１６年１１月２５日付けの手続補正（以下、「本件補正」という。）を却下する。
　
　［理由］
１．本件補正 
　本件補正は、特許請求の範囲について、補正前に、
（ａ）「【請求項１】電磁変換素子または光学モジュールが設けられたスライダと、
サスペンションとを有し、
スライダがこれを変位させるためのアクチュエータを介してサスペンションに支持されており、
電磁変換素子または光学モジュールへの電気的接続が、アクチュエータによるスライダの変位方向に可動および／または変形可能な第１の配線によりなされており、
アクチュエータへの電気的接続が第２の配線によりなされており、
前記第１の配線が、サスペンション表面に密着した配線を形成した後、サスペンションの一部を除去して前記密着した配線の一部を浮いた状態とすることにより形成されたものである記録／再生ヘッド支持機構。
【請求項２】前記アクチュエータが逆圧電効果または電歪効果を利用するものである請求項１に記載の記録／再生ヘッド支持機構。
【請求項３】ヘッドドライブ用のＩＣチップがサスペンション上に搭載されている請求項１または２に記載の記録／再生ヘッド支持機構。
【請求項４】前記サスペンションを駆動する主アクチュエータを有する請求項１〜３のいずれかに記載の記録／再生ヘッド支持機構。
【請求項５】請求項１〜４のいずれかに記載の記録／再生ヘッド支持機構を有する記録／再生装置。」
とあったところを、 請求項２ないし請求項５については記載に変更なく、請求項１を、
（ｂ）「【請求項１】電磁変換素子または光学モジュールが設けられたスライダと、
サスペンションとを有し、
スライダがこれを変位させるためのアクチュエータを介してサスペンションに支持されており、
電磁変換素子または光学モジュールへの電気的接続が、アクチュエータによるスライダの変位方向に可動および／または変形可能な第１の配線によりなされており、
アクチュエータへの電気的接続が第２の配線によりなされており、
前記第１の配線が、サスペンション表面に密着した配線を形成した後、サスペンションの一部を除去して前記密着した配線の一部を
前記アクチュエータによる前記スライダの変位方向に可動および／または変形可能に
と補正しようとするものである。
　
　すると、本件補正は、補正前の請求項１に記載された発明を特定する「浮いた状態」について、「アクチュエータによるスライダの変位方向に可動および／または変形可能に」との限定を加えるものと認められるから、平成１８年改正前特許法第１７条の２第４項２号に掲げる事項を目的とするものに該当する。
　
　そこで、本件補正後の前記請求項１に記載された発明（上記（ｂ）参照。以下、「本願補正発明」という。）が特許出願の際独立して特許を受けることができるものであるか（平成１８年改正前特許法第１７条の２第５項において準用する同法１２６条５項の規定に適合するか）否かについて検討する。
　
２．引用例
（１）原査定の拒絶の理由に引用された特開平１０−１１９２３公報（１９９８年１月１６日公開。以下、「引用例１」という。）には、図面と共に次の事項が記載されている（なお、以下の検討において、引用例記載の下線は当審で付した。）。
　
ア．「【０００３】一例として磁気ディスク装置の場合の構造を図１９に示す。回転ディスクとして磁性膜を表面に形成した磁気ディスク２２０を、
ヘッドとして電磁変換素子からなる磁気ヘッド
磁気ヘッドは、磁気ヘッドを磁気ディスク上に浮遊させる機能を有するスライダ２７０に取り付けられ
【０００４】このような回転ディスク型情報記憶装置に対しては、高記録密度化に対する強い要求があり、これを実現するための一つの方法は、回転ディスクに対する書き込み読み出し用ヘッドの位置決め誤差を低減し、より高精度な位置決め動作を達成することである。図１９で述べた磁気ディスク装置では、磁気ディスク面に対する磁気ヘッドの位置決め動作は、ボイスコイルモータ１８２によって行われているが、この方法での位置決め精度の向上には限界がある。より
高精度な位置決め動作を行うための一つの方法としては、磁気ヘッドに近い位置に、磁気ヘッドの位置を微調整するためのアクチュエータを搭載する
　
イ．「【００２９】図６は本実施例の
磁気ディスク装置のロードアーム２００
微動アクチュエータ１の固定部材の上面が、ちょうどロードアーム２００の先端に形成されたジンバル板２１０の裏面に固定される
スライダ２７０は、微動アクチュエータ１の可動部材の裏面に固定される。微動アクチュエータ１の固定部材の上面に形成されている電極１７０，１７１，１７２，１７３は、ロードアーム２００上に形成されている電極１７４，１７５，１７６，１７７と、微細なワイヤ２８０，２８１，２８２，２８３でそれぞれ接続され
ロードアーム上の電極１７４，１７５，１７６，１７７は、ステンレスのロードアームの上にポリイミドからなる絶縁膜を形成し、その上にメッキ法で形成した銅膜を用いており、最終的には、磁気ディスク装置内の電源に接続される。アクチュエータ上の電極とロードアーム上の電極を接続するワイヤ
【００３０】図７は本実施例の磁気ディスク装置のロードアーム先端部のＣ断面図である。ここで示している微動アクチュエータは、図２で説明した、ドライエッチングにより固定部材１１０と可動部材１２０を分離したタイプのものである。微動アクチュエータの固定部材１１０の上面が、固定部材の上面に形成されたコイル150および１５１を介してジンバル板２１０の裏面に固定されている。一方、微動アクチュエータの可動部材１２０の裏面に、スライダ２７０が固定されている。この図からわかるように、微動アクチュエータの固定部材上のコイル１５０および１５１の方が、可動部材上の軟磁性膜１６０よりも高さが高いので、固定部材をジンバル板に固定したときにも、可動部材がジンバル板に接触して可動部材の運動が阻害されることはない。また、可動部材の裏面にスライダを固定するときに、適切な接着剤を用いることにより、接着剤層の厚み分だけ、スライダが固定部材の裏面から離れることになり、スライダが固定部材に接触してスライダの運動が阻害されることはない。従って、
コイル１５０および１５１に電流を流すことにより、なめらかに磁気ヘッドが取り付けられているスライダをロードアームに対して移動させる
　
ウ．図６には、磁気ディスク装置のロードアーム先端部の上面図が示され、図６のＣ断面図である図７には、スライダ２７０を裏面に固定したアクチュエータの上面がジンバル板２１０の裏面に固定されていることが示されている。
　
　前記図６，７を参照して、第１の実施例を中心にまとめると、引用例１には、磁気ディスク装置のロードアームについて、
「電磁変換素子からなる磁気ヘッドが取り付けられたスライダと、
　先端にジンバル板の形成されたロードアームと、
　前記ジンバル板の裏面に固定され、スライダ位置を微調整するためのアクチュエータとを有し、
　前記スライダが前記微動アクチュエータの裏面に固定されており、
　前記微動アクチュエータ上の電極と磁気ディスク装置内の電源は、前記ロードアーム上の電極とワイヤとで接続され、前記アクチュエータに電流を流すことにより、前記磁気ヘッド位置を微調整するように前記スライダを移動させる磁気ディスク装置のロードアーム。」
の発明（以下「引用例１発明」という。）が記載されている。
　
（２）原査定の拒絶査定時に引用された特開平１０−６９６２３号公報（１９９８年３月１０日公開。以下、「引用例２」という。）には、一体式導電体を有するヘッド・ジンバル・アセンブリについて、図面と共に次の事項が記載されている。
　
エ．「【請求項１】
データ変換器を支持するためのサスペンション・システム
エア・ベアリング面と裏面とを有するスライダを保持するスライダ支持部材と、
スライダに負荷をかけるロード・ビームと、
ロード・ビームに沿って延び、スライダの裏側に接続するように配置され、第１層および第２層からなり、第２層が、第１層の上に配置され、少なくとも、高力導電材料の第１の細長い条片と高力導電材料の第２の細長い条片とを備え、第１の細長い条片が、第１細の長い条片が第２の細長い条片と短絡するのを防止するスペースによって第２の細長い条片から分離され、第１層が、スライダの裏面と第２層との間に配置されている、電気ケーブルとを備えるサスペンション・システム。」
　
オ．「【０００１】
【発明の属する技術分野】本発明は
磁気ディスク・ファイル用のヘッド・ジンバル・アセンブリ、特に積層板の１層に電線が形成された積層材から形成したヘッド・ジンバル・アセンブリ
　
カ．「【００１１】
【発明の実施の形態】図１は、アクチュエータ・アーム１８に取り付けた第１変換器サスペンション１０および第２変換器サスペンション１４の概略図である。
サスペンション１０および１４は、ヘッド・ジンバル・アセンブリとも呼ぶ
　
キ．「【００１３】
図２は、サスペンション１０が第１層４０、第２層４４および第３層４８からなる多層の積層材３９である
　
ク．「【００３２】
電線６６は、標準の金属エッチング技術を用いて表面７０をエッチングすることによって形成される。たとえば、第３層４８が上述した銅合金のうちの１種類からなる場合、層４８は塩化第二鉄またはその他の適切なエッチング剤でエッチングする。このエッチング・プロセスによって指定の領域から金属が除去され、これによって電線６６を画定するスペース７４が形成される。
【００３３】好ましい実施形態では、
第１、第２および第３層４０、４４および４８は、最初はステンレス鋼／ポリイミド／銅合金の積層材の連続シートである。次に、上述の技術を用いて、積層材のシートからスライダ・サスペンション・システム１０を製造する
　
ケ．「【００３９】図６は、従来技術によるヘッド・ジンバル・アセンブリ１３０（ＨＧＡ１３０）の等角図である。ＨＧＡ１３０は、ロード・ビーム１３４および１対のフレキシャ・アーム１３６、１３８を含む。フレキシャ・アーム１３６と１３８は、スライダ部１４２で接合される。スライダ１４６は、スライダ部１４２に取り付けられる。スライダ１４６は、エア・ベアリング面と、スライダ１４６のエア・ベアリング面とは反対側にある裏面とを有する従来の磁気抵抗（ＭＲ）スライダである。スライダ１４６の裏面には複数の読み書き成端パッド１５０が配置され、複数の別個の線１５４が、１対のヘッド変換器（図１に示した変換器２７および２８など）を読み書きチャネル（図５に示した読み書きチャネル１２０など）に電気的に接続するために、成端パッド１５０に接続される。」　
　
コ．「【００６９】
図１３に、本発明によるヘッド・ジンバル・アセンブリ２９２（ＨＧＡ２９２）を示す。ＨＧＡ２９２は、ロード・ビーム２９６、フレキシャ・アーム３００、フレキシャ・アーム３０４、スライダ部３０８、スライダ３１２、および複数の電線３１６を備える
【００７０】好ましい実施形態では、ロード・ビーム２９６は、ＨＧＡ２６０のロード・ビーム２６８と同様に細長く、ＨＧＡ２９２は、ロード・ビーム２９６をアクチュエータ・アームに接続するための、図１２に示したアーム部２７２のようなアーム部を含む。ロード・ビーム２９６は、端部３２６を含む。
【００７１】ロード・ビーム２９６およびフレキシャ・アーム３０４は、ＨＧＡ２９２がスライダ３１２の隅３２８でスペーサ・リング３２４と接触するように、ディスク・スペーサ３２４とぴったり合う輪郭になっている。スペーサ・リング３２４は、スピンドル・ハブ９２の、図５のディスク８８を分離する部分である。矢印３３０は、スペーサ・リング３２４（および取り付けた磁気ディスク）の回転方向を示す。
【００７２】スライダ部３０８およびフレキシャ・アーム３０４は、ＨＧＡ２９２がディスクのＩＤトラックで追加のディスク・スペースを占有しないような輪郭になっている。これによって、ディスク上のより多くのデータ・トラックをデータの記憶に使用することができる。通常、このＨＧＡ２９２の設計により、スライダの隅３２８と読み書き要素との間の側面クリアランスを、スライダのサイズ及び読み書き要素の位置に応じて、わずか０．４５ｍｍないし０．８０ｍｍにすることが可能である。
【００７３】フレキシャ・アーム３００は、フレキシャ・アーム３００の縦軸にほぼ平行でフレキシャ・アーム３００と同じ平面内にある、ビーム部３３２を含む。同様に、フレキシャ・アーム３０４は、フレキシャ・アーム３０４の縦軸にほぼ平行でフレキシャ・アーム３０４と同じ平面内にある、ビーム部３３６を含む。ビーム部３３２および３３６の長さは、負荷４０２（図１７に図示）が加わった時にスライダ３１２が（ピッチおよびロール回転がなく）確実に並進するように、サイズを決定することができる。
【００７４】好ましい実施形態では、ビーム部３３２は、Ｕ字形の湾曲区間３３７によってフレキシャ・アーム３００に接続される、フレキシャ・アーム３００の連続部分である。同様に、ビーム部３３６は、Ｕ字形の湾曲区間３３８によってフレキシャ・アーム３０４に接続される、フレキシャ・アーム３０４の連続部分である。
【００７５】スライダ部３０８は、縦区間３４０と２つの横材３４１および３４２とを含む「Ｉ字形」部材である。ビーム部３３２および３３６は、横材３４２の縁部３４３付近で横材３４２と交差する。端部３２６、フレキシャ・アーム３００および３０４、ビーム部３３２および３３６、および端部３４３と境界を接する領域に、開口部３４４が形成される。
【００７６】電線３１６は、縦区間３４０、横材３４２および開口部３４４を通って延びる。端部３２６付近の開口部３４４に、電線３１６の一部によって「Ｓ字形」ループ３４８が形成される。同様に、端部３２６付近の開口部３４４に、電線３１６の一部によって逆「Ｓ字形」ループ３５２が形成される
。ループ３４８および３５２の目的は、ＨＧＡ２９２のピッチおよびロール剛性に対する電線３１６の影響を最小限に抑えるように、電線３１６に多少の「遊び」を作り出すことである。
【００７７】図１４は、ロード・ビーム２９６の縁部が下方（つまり電線３１６から離れる方向）に湾曲して、補剛フランジ３６０および補剛フランジ３６４を形成することを示す、ＨＧＡ２９２の等角図である。フランジ３６０および３６４が下方に湾曲しているのは、それが追加のｚ高さを必要としないことを意味する。
【００７８】図１４はまた、
スライダ３１２の後縁３７６に、１対の読取り成端パッド３６８および１対の書込み成端パッド３７２が配置されていることを示す。各成端パッド３６８および各成端パッド３７２に好ましくは超音波ボンディングによって１本の電線３１６が取り付けられる
スライダ３１２は、磁気媒体上のデータを読み書きする１個または複数のデータ変換器をも含み
【００７９】ロード・ビーム２９６は、スライダ３１２がデータを読み書きするディスク３８８と反対に面した裏面３８７を有する。
【００８０】
図１５は、電線３１６がロード・ビーム２９６と重なる箇所では、ＨＧＡ２９２が第１層４０と同様の第１層３９０、第２層４４と同様の第２層３９４および第３層４８と同様の第３層３９８を備える多層構造であることを示す、ＨＧＡ２９２の断面図である
ＨＧＡ２９２では、第３層３９８がエア・ベアリング面３８０とは反対側に面するような向きに層３９０、３９４および３９８が配向している
【００８１】図１５はまた、電線３１６が、断面がほぼ長方形の第３層３９８の複数の領域であり、スペース３２０のうち１つによって隣接する各電線３１６から分離されていることをも示す。スペース３２０は、第２層３９４がスペース３２０を通して露出するように、第２層３９４まで下方に延びる。スペース３２０の１つは、電線３１６が隣接する電線３１６と短絡しないように、電線３１６の各側に沿って配置される。
電線３１６は、電線６６について前述したのと同様にして形成される。
図１６は、電線３１６が開口部３４４と交差する箇所では、第１層３９０が下にある第２層３９４から完全に除去され、層３９４および３９８のみが残ることを示す断面図である
電線３１６と第２層３９４との組合せを、一体式電気ケーブル３９９
【００８３】好ましい実施形態では、
ＨＧＡ２９２は図２に図示した多層積層材３９などの積層材から製造される。次に、フォトリソグラフィおよび化学エッチングを用いて、電線３１６、フレキシャ３００および３０４、および開口部３４４など、ＨＧＡ２９２の様々なフィーチャを形成する
【００８３】好ましい実施形態では、ＨＧＡ２９２は図２に図示した多層積層材３９などの積層材から製造される。次に、フォトリソグラフィおよび化学エッチングを用いて、電線３１６、フレキシャ３００および３０４、および開口部３４４など、ＨＧＡ２９２の様々なフィーチャを形成する。
【００８４】図１７は、負荷Ｌによるフレキシャｄが、スペースＴ中のディスク３８８（図１４に図示）とＨＧＡ２９２の裏面４０７との間で生じ、追加のｚ高さを必要としないことを示す、ＨＧＡ２９２の側面図である。ｚ高さは、図１７に図示した座標系で示される方向ｚと定義される。負荷Ｌとは、ロード・ビーム２９６のアーム取付領域付近の予備成形領域から立ち上がる矢印４０２によって指示される方向にかかる力である。
【００８５】このＨＧＡ２９２の設計は、ＨＧＡ２９２の合計ｚ高さが、スライダ３１２の厚さに、ロード・ビーム２９６の厚さ、およびスライダ３１２をスライダ部３０８に接着するエポキシ層の厚さ、さらにスライダ部３０８の頂部に配置された電気ケーブル３９９の厚さを加えた値となるように選択されている。好ましい実施形態では、ＨＧＡ２９２の合計ｚ高さは１．３ｍｍ以下である。電気ケーブル３９９の厚さは０．０３５ｍｍ以下である。通常、このＨＧＡ２９２の設計により、ディスク８８（図５に図示）の間隔を、スライダ３１２のサイズに応じて１．０ｍｍないし１．３ｍｍにすることができる。
【００８６】図１７はまた、フレキシャ・アーム３００の領域４０６がロード・ビーム２９６の厚さより薄いことをも示す。フレキシャ・アーム３０４はフレキシャ・アーム３００と同様の厚さである。フレキシャ・アーム３００および３０４は、スライダ部３０８をロード・ビーム２９６から分離し、
スライダ３１２が（図５に図示した記録ディスク８８のような）磁気ディスクに適合し、その上を飛ぶことができる
　
サ．図１３には、電線３１６がヘッド・ジンバル・アセンブリ２９２のロード・ビーム２９６からスライダ３１２の先端まで配置されていることが図示されている。
　図１４には、スライダ３１２後縁の１対の読取り成端パッド３６８および１対の書込み成端パッド３７２に取り付けられている電線３１６が図示されている。
　図１５には、第１層３９０と第２層３９４と第３層３９８の電線３１６とスペース３２０が図示されている。
　図１６には、第２層３９４と第３層の電線３１６の一体式電気ケーブル３９９と、開口部３４４が点線で図示されている。
　図１７には、一体式電気ケーブル３９９がロードビーム２９６の一部分とフレキシャアームの領域４０６で支持されていないこと、スライダ３１２の後縁では一体式電気ケーブル３９９が屈曲していることが図示されている。
　
３．対比
　そこで、本願補正発明と引用例１発明とを比較する。
　引用例１発明と本願補正発明とにおいて、「電磁変換素子」及び「スライダ」は共通しているので、引用例１発明の「電磁変換素子からなる磁気ヘッドが取り付けられたスライダ」は、本願補正発明の「電磁変換素子が設けられたスライダ」に相当する。
　引用例１発明の「先端にジンバル板の形成されたロードアーム」は、本願補正発明の「サスペンション」に相当する。
　引用例１発明の「スライダ位置を微調整するためのアクチュエータ」は、本願補正発明の「これ（スライダ）を変位させるためのアクチュエータ」に相当する。
　引用例１発明は、「アクチュエータ」が「ジンバル板の裏面に固定」され、「スライダ」が「前記微動アクチュエータの裏面に固定」されているので、本願補正発明の「スライダがこれを変位させるためのアクチュエータを介してサスペンションに支持されて」の構成を備えている。
　引用例１発明の「電磁変換素子からなる磁気ヘッド」に対しては、情報の記録又は再生の信号のために、配線による電気的接続がなされていることは自明であるから、本願補正発明の「電磁変換素子への電気的接続が」「第１の配線によりなされて」いる構成を備えている。
　引用例１発明は、「アクチュエータ上の電極と磁気ディスク装置内の電源は、ロードアーム上の電極とワイヤとで接続されて」いることにより、アクチュエータが電極とワイヤからなる配線により電気的接続がなされることになるから、本願補正発明の「アクチュエータへの電気的接続が第２の配線によりなされており」との構成を備えている。
　引用例１発明の「磁気ディスク装置」は、ロードアーム、ジンバル板、アクチュエータを有し、スライダが、ジンバル板の裏面に固定されたアクチュエータの裏面に固定されているから、本願補正発明の「記録／再生ヘッド支持機構」に相当する。
　
　したがって、両者の一致点及び相違点は、次のとおりである。
＜一致点＞
「電磁変換素子が設けられたスライダと、
　サスペンションとを有し、
　スライダがこれを変位させるためのアクチュエータを介してサスペンションに支持されており、
　電磁変換素子への電気的接続が第１の配線によりなされており、　
　アクチュエータへの電気的接続が第２の配線によりなされたものである記録／再生ヘッド支持機構。」
　
＜相違点＞
　第１の配線について、本願補正発明は、「アクチュエータによるスライダの変位方向に可動および／または変形可能な」と、また、「サスペンション表面に密着した配線を形成した後、サスペンションの一部を除去して密着した配線の一部をアクチュエータによるスライダの変位方向に可動および／または変形可能に浮いた状態とすることにより形成された」と、特定しているのに対して、引用例１発明では、このような事項について特定がない点。
　
４．当審の判断
　上記相違点について検討する。
　引用例２に記載された「データ変換器」は、「磁気ディスクファイル用のヘッド」であるから、「データ変換器を支持するためのサスペンション・システム」または「磁気ディスク・ファイル用のヘッド・ジンバル・アセンブリ」は、本願発明の「記録／再生ヘッド支持機構」に相当するものである（上記「エ．」ないし「カ．」参照。）。
　引用例２に記載されているヘッド・ジンバル・アセンブリは、ステンレス鋼の第１層、ボリイミドの第２層および銅合金の第３層からなる積層材をエッチングして製造される一体式導電体を有するものである。上記積層材は、スライダ側とは反対側に第３層が面するように、第１層、第２層及び第３層が積層されており、フォトリソグラフィおよび化学エッチングを用いて、電線６６，３１６、フレキシャ３００および３０４、および開口部３４４などが形成され（上記「キ」、「ク」、及び「コ．」の【００８３】段落参照。）、電線は、ヘッドに電気的に接続されるものであり、ヘッド・ジンバル・アセンブリに密着形成されるとともに、開口部では、第１層のステンレスが除去されて電線が浮いた状態にある。
　また、前記開口部には、『電線３１６に多少の「遊び」を作り出す』ものとして「Ｓ字形」のループ３４８及び「逆Ｓ字形」のループ３５２が形成されている（上記「コ．」【００７６】段落参照。）。引用例２において、スライダ３１２は、磁気ディスク上を飛ぶことができるように（上記「コ．」【００８６】段落参照。）、剛性の低いフレクシャ・アーム３００，３０４の先に形成されたスライダ部３０８に取り付けられるから、前記「遊び」は、電線が、スライダの変位方向に可動および／または変形可能となるためのものに他ならない。
　すると、引用例２には、スライダ・サスペンション・システムにおいて、「電磁変換素子への電気的接続が」「スライダの変位方向に可動および／または変形可能な第１の配線によりなされており」、「サスペンション表面に密着した配線を形成した後、サスペンションの一部を除去して前記密着した配線の一部を」「前記スライダの変位方向に可動および／または変形可能に浮いた状態とすることにより形成」することが記載されている。
　してみれば、スライダがアクチュエータを介してロードアームに支持されている引用例１発明のロードアームに引用例２に記載された発明を適用することで、電磁変換素子への電気的接続を、アクチュエータによるスライダの変位方向に可動および／または変形可能な第１の配線によるものとし、当該第１の配線をロードアーム表面上に密着した配線を形成した後、ロードアームの一部を除去して、前記密着した配線の一部を、アクチュエータによるスライダの変位方向に可動および／または変形可能に浮いた状態とすることにより形成することは、当業者が容易に想到しうるものである。
　
　結局、上記相違点は、格別なものではなく、また上記相違点を検討しても、本願補正発明の奏する効果は当業者が当然に予測できる範囲内のものである。
　
　以上のとおり、本願補正発明は、引用例１，２に記載された発明に基づいて、当業者が容易に発明をすることができたものであるから、特許法第２９条第２項の規定により特許出願の際独立して特許を受けることができないものである。
　
５．本件補正についてのむすび
　以上のとおりであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
１．本願発明
　平成１６年１１月２５日付の手続補正は上記のとおり却下されたので、本願の請求項１ないし請求項５に係る発明は、平成１６年１月２６日付けで手続補正された明細書の特許請求の範囲の請求項１ないし請求項５に記載されたとおりのものと認められるところ、そのうち請求項１に係る発明（以下、「本願発明」という。）は、上記「第２　１．本件補正　（ａ）【請求項１】」に記載されたとおりのものである。
　
２．引用例
　原査定において引用された引用例の記載事項は、前記「第２　２．引用例」に記載したとおりである。
　
３．対比・判断
　本願発明は、上記「第２　１．本件補正」で検討した本願補正発明から「浮いた状態」について、「アクチュエータによるスライダの変位方向に可動および／または変形可能に」との限定を削除したものに相当する。
　そうすると、本願発明の構成要件をすべて含み、さらに限定を加えたものに相当する本願補正発明が、前記「第２　４．当審の判断」に記載したとおり、引用例１，２に記載された発明に基づいて、当業者が容易に発明をすることができたものであるから、本願発明も同様の理由により、引用例１，２に記載された発明に基づいて、当業者が容易に発明をすることができたものである。
　
４．むすび
　以上のとおり、本願発明は、引用例１，２に記載された発明に基づいて、当業者が容易に発明をすることができたものであるから、特許法第２９条第２項の規定により特許を受けることができない。
　したがって、その他の請求項について検討するまでもなく、本願は拒絶すべきものである。
　よって、結論のとおり審決する。